(57)【要約】【課題】この発明は、玄関ドアのサムターン錠の側部に外部から穴を開け、その穴からくの字に曲がった金具を入れてドアのつまみを回す犯罪を防止するサムターンを利用した開錠防止器具を提供する。【解決手段】円筒形キャップ（１）内部に樹脂粘土（２）を詰め込み、円筒形キャップ（１）開口部を蓋（３）で閉じ、ゴムパッキン（４）を具備する。【選択図】  図１
2004225505.tif 000002
【特許請求の範囲】
【請求項１】
キャップ内部に粘性素材を詰め込み、乾燥防止手段を設けたサムターンを利用した開錠防止器具。
【発明の詳細な説明】
【０００１】
【発明の属する技術分野】
この発明は、玄関ドアのサムターン錠の側部に外部から穴を開け、その穴からくの字に曲がった金具を入れてドアのつまみを回す犯罪を防止するサムターンを利用した開錠防止器具に関するものである。
【０００２】
【従来の技術】
イ、従来のサムターンは、ドア外部から鍵を入れ左に回すとドア内部の平行になっているドアのつまみが右回りに回転し、ドアのつまみが縦になることによって外部からの開錠が可能となる技術を有する開錠方法であった。
ロ、従来のサムターンを利用した開錠防止器具は、外部からドアのつまみ側部にドリルで穴を開けくの字に曲がった金具を穴に通し、くの字に曲がった金具をロックされている状態である平行になっているドアのつまみに引っ掛け、内部のドアのつまみ右回転させることによって可能となる外部からの開錠を防止するために、ドアのつまみ中部左右にあるネジ２本をはずし、そこにドアのつまみの上部、左右を囲むカバーを取り付け、再びネジでカバーとドアのつまみを固定することによって、外部から穴を開け通されたくの字に曲がった金具がドアのつまみに触れることを防ぐ技術を有するサムターンを利用した開錠防止器具であった。
【０００３】
【発明が解決しようとする課題】
これは次のような欠点があった。
イ、サムターンは通常、内部から見てロックされているときはドアのつまみが平行になっており、開錠時にはドアのつまみが縦になるものであり、外部からドアを開けるときは鍵によりドアの開閉を行い、内部からの開閉はドアのつまみを手の指でつまみ動かすことによって可能にするものである。しかし、現在このサムターンに対する犯罪で急増している開錠方法は、ドアのつまみ側部にドリルで穴を開け、その穴からくの字に曲がった金具を入れてドアのつまみに引っ掛けることによりドアのつまみを回して開錠するという悪質な犯罪が増えている。
ロ、現在のサムターンを利用した開錠防止器具
１）ドアのつまみにカバーをつけているためドア内部から開閉するときに指でドアのつまみを持とうとするとカバーが邪魔になる。特にドアのつまみは右側についているため、左利きの人は、左手を使うためカバーに指が引っ掛かりやすく、使用に不便。
２）取り付け時にドライバーを使いドアのつまみのネジを一度はずしてカバーを差し込み、再びドライバーでネジをしめるというもので、工具が必要という点で手間が掛かってしまう。また、カバー取り付け時にネジを紛失してしまうことも考えられ、その場合防犯どころではなくなってしまう。
３）カバーがプラスティックでできているため、取り付け時にドライバーでネジをゆるめ、ドアのつまみをはずし、カバーを差し込み、再びネジでカバーとドアのつまみを固定させるときに確実に固定するために強くネジをしめることが予想されるが、そのときにプラスティックでできているカバーは耐久性に弱く破損の可能性がある。さらに、常にネジでしめつけられているプラスティックのカバーは時間がたつにつれ痛みがでてくる。また、今までドアのつまみだけを固定していたネジに、カバーを取り付けることにより、ドアのつまみとカバーを同時に固定することはネジの寸法が短くなり弱い固定になるため、ネジも以前と比べるとはずれやすくなってしまう。
４）従来のサムターンを利用した開錠防止器具は、ドアのつまみ左側から上部さらに右側までをカバーしたものであり、ドアのつまみ上空部、下部に関しては全く防御されていない。
５）プラスティックのカバーであるため、物が衝突すると破損しやすい。
本発明は、以上の欠点を解決するためになされたものである。
【０００４】
【課題を解決するための手段】
円筒形キャップ（１）内部に樹脂（２）を詰め込み、開口部を蓋（３）で閉じて、パッキン（４）を具備したサムターンを利用した開錠防止器具。
【０００５】
【発明の実施の形態】
以下、本発明の実施の形態を説明する。
樹脂粘土を使用する場合
（イ）円筒形キャップ（１）の内部に適量の樹脂粘土（２）を詰め込む。
（ロ）樹脂粘土（２）を内部に入れた円筒形キャップ（１）に蓋（３）をして空気が入らないようにする。
（ハ）蓋（３）にゴムパッキン（４）を取り付ける。
本発明は、以上の構成より成り立っている。
本発明を使用するときは、まず蓋（３）からゴムパッキン（４）を取りはずし、ドアのつまみ（８）の後ろに装着する。さらに樹脂粘土（２）を内部に入れた円筒形キャップ（１）から蓋（３）を取りはずし、円筒形キャップ（１）のふちに強力な接着剤を塗りドアのつまみ（８）に押し付ける。これにより、円筒形キャップ（１）の内部に詰め込まれた樹脂粘土（２）はドアのつまみ（８）の形状に変化し、円筒形キャップ（１）のふちがゴムパッキン（４）に装着される。最後に円筒形キャップ（１）上部にＯＮ−ＯＦＦシール（５）を貼る。
樹脂を使用する場合
（イ）円筒形キャップ（１）内部に適量の樹脂（２）を詰め込む。
（ロ）樹脂（２）を内部に入れた円筒形キャップ（１）に蓋をする。
（ハ）蓋（３）にゴムパッキン（４）を取り付ける。
本発明は、以上の構成より成り立っている。
本発明を使用するときは、まず蓋（３）からゴムパッキン（４）を取りはずし、ドアのつまみ（８）の後ろに装着する。さらに樹脂（２）を内部に詰め込んだ円筒形キャップ（１）に蓋（３）をした本発明品をかなり熱くした熱湯に適度の時間つけ込んでおく。適度な時間がたったら熱湯から取り出して蓋（３）をはずし、円筒形キャップ（１）のふちに強力な接着剤を塗り、樹脂（２）が軟らかいうちにドアのつまみ（８）に押し付ける。これにより、円筒形キャップ（１）内部に詰め込まれ樹脂（２）はドアのつまみ（８）の形状に変化し、円筒形キャップ（１）のふちがゴムパッキン（４）に装着される。最後に円筒形キャップ（１）上部にＯＮ−ＯＦＦシール（５）を貼る。
【０００６】
【発明の効果】
本発明をしようすることによって、次のような効果が挙げられる。
（イ）本発明は円筒形キャップ（１）内部に樹脂粘土（２）を詰め込んでいるため、取り付け時にドアのつまみ（８）に円筒形キャップ（１）を押さえつけて取り付けるため、円筒形キャップ（１）内部に詰め込まれた樹脂粘土（２）の形状がドアのつまみ（８）の形状に変化するため、どのような形状のドアのつまみ（８）に対しても万能に対応できる。
（ロ）軽いタッチで左右どちらの手でも素早く簡単に開閉ができる。
（ハ）取り付け時にドライバーなどの工具が不要である。
（ニ）ドアのつまみ（８）が円筒形キャップ（１）に形状が変わり、内部が樹脂粘土（２）で固定されているため破損しにくい。
（ホ）円筒形キャップ（１）はゴムパッキン（４）に接着されているためドアのつまみ（８）に固定された状態になっており、外部からの危害や内部からの衝撃にも強い。
（ヘ）取りはずし時は円筒形キャップ（１）を握り、強く引っ張りながら左右に動かすことでゴムパッキン（４）がドアのつまみ（８）からはずれるようになっている。
（ト）ドアのつまみ（８）を円筒形キャップ（１）に変えることで、外部からドアのつまみ（８）側部にドリルで穴（９）を開けられ、くの字に曲がった金具（１０）を穴（９）に入れドアのつまみ（８）に引っ掛けようとしても引っ掛からずまた、ドアのつまみ（８）周囲３６０度、ドアのつまみ（８）上空部に渡るまでの全てをカバーできる。
（チ）円筒形キャップ（１）にはＯＮ−ＯＦＦシール（５）が貼ってあるため開閉に関しても一目瞭然でわかる。
【図面の簡単な説明】
【図１】本発明の側面図
【図２】本発明にゴムパッキンとＯＮ−ＯＦＦシールを加えた分解側面図
【図３】本発明の円筒形キャップ（１）に樹脂粘土（２）を詰め込み、円筒形キャップ（１）下部にＯＮ−ＯＦＦシール（５）を貼り付けた図
【図４】ドアのつまみにゴムパッキンを取り付けた図
【図５】本発明の使用状態を示す側面図
【図６】外部から穴を開け、穴からくの字に曲がった金具を入れてドアのつまみに引っ掛けている図
【図７】外部から穴を開け、穴からくの字にまがった金具を入れてドアのつまみに引っ掛けて回し、開錠した図
【符号の説明】
１  円筒形キャップ
２  樹脂粘土
３  蓋
４  ゴムパッキン
５  ＯＮ−ＯＦＦシール
６  エスカッション
７  ドア
８  ドアのつまみ
９  穴
１０  くの字に曲がった金具
【図１】
2004225505.tif 000003
【図２】
2004225505.tif 000004
【図３】
2004225505.tif 000005
【図４】
2004225505.tif 000006
【図５】
2004225505.tif 000007
【図６】
2004225505.tif 000008
【図７】
2004225505.tif 000009